(57)【要約】【課題】製造時に金型から離型し易い薄型のフレネルレンズシートを、背面投射型表示装置に平面性よく保持することができるフレネルレンズシートの取付構造およびその取付構造を備えた背面投射型表示装置を提供する。【解決手段】入射面と当該入射面から入射する光の一部または全部を全反射して所望の方向に偏向する全反射面とからなる三角形状のプリズムが入射光側に配列された厚さ３ｍｍ以下のフレネルレンズシート１の取付構造であって、フレネルレンズシート１の上辺１１に装着された吊り下げ部材１２と、当該吊り下げ部材１２を支持する支持部材１３とを備えるように構成した。このとき、フレネルレンズシート１に張力付加部材２１が装着されていることが好ましい。【選択図】    図１０
2004286997.tif 000002
【特許請求の範囲】
【請求項１】
入射面と当該入射面から入射する光の一部または全部を全反射して所望の方向に偏向する全反射面とからなる三角形状のプリズムが入射光側に配列された厚さ３ｍｍ以下のフレネルレンズシートの取付構造であって、
前記フレネルレンズシートの上辺に装着された吊り下げ部材と、当該吊り下げ部材を支持する支持部材とを備えることを特徴とするフレネルレンズシートの取付構造。
【請求項２】
前記フレネルレンズシートの少なくとも下辺に張力付加部材が装着されていることを特徴とする請求項１に記載のフレネルレンズシートの取付構造。
【請求項３】
前記張力付加部材が、弾性体により下方または横方向に引っ張られることを特徴とする請求項２に記載のフレネルレンズシートの取付構造。
【請求項４】
前記張力付加部材に、前記フレネルレンズシートの出光面側に隣接する剛体シートが載置されていることを特徴とする請求項２に記載のフレネルレンズシートの取付構造。
【請求項５】
前記フレネルレンズシートの上辺の左右端部における吊り下げ部材の下面と、当該左右端部における吊り下げ部材に接する支持部材の上面との接触面が、当該フレネルレンズシートの中央側の座標位置より端部側の座標位置が正面視で低くなるように傾斜しており、
前記フレネルレンズシートの下辺の左右端部における張力付加部材の上面と、当該左右端部における張力付加部材に載置される剛体シートの下面との接触面が、当該フレネルレンズシートの中央側の座標位置より端部側の座標位置が正面視で高くなるように傾斜していることを特徴とする請求項４に記載のフレネルレンズシートの取付構造。
【請求項６】
前記剛体シートが、レンチキュラーレンズシートであることを特徴とする請求項４または請求項５に記載のフレネルレンズシートの取付構造。
【請求項７】
前記フレネルレンズシートが、出光面に光を拡散するレンチキュラーレンズが形成されていることを特徴とする請求項１〜６のいずれかの１項に記載のフレネルレンズシートの取付構造。
【請求項８】
前記フレネルレンズシートが、光を拡散させる拡散剤を含有していることを特徴とする請求項１〜６のいずれか１項に記載のフレネルレンズシートの取付構造。
【請求項９】
フレネルレンズシートが、光を吸収するように着色されていることを特徴とする請求項１〜６のいずれか１項に記載のフレネルレンズシートの取付構造。
【請求項１０】
フレネルレンズシートが、光吸収層を有していることを特徴とする請求項１〜６のいずれか１項に記載のフレネルレンズの取付構造。
【請求項１１】
フレネルレンズシートの片面または両面に、反射率を低下させる低反射層が形成されていることを特徴とする請求項１〜１０のいずれか１項に記載のフレネルレンズシートの取付構造。
【請求項１２】
請求項１〜１１のいずれか１項に記載のフレネルレンズシートの取付構造を備えた透過型スクリーンが取り付けられることを特徴とする背面投射型表示装置。
【発明の詳細な説明】
【０００１】
【発明の属する技術分野】
本発明は、薄型のフレネルレンズシートの取付構造および背面投射型表示装置に関し、さらに詳しくは、薄型のフレネルレンズシートが平面性のよい状態で取り付けられるフレネルレンズシートの取付構造およびその取付構造を備える背面投射型表示装置に関するものである。
【０００２】
【従来の技術】
図２４は、映像光１０２をスクリーン１０３に対して斜め方向から投射する背面投射表示装置１０１の一例を示す構成図である。その背面投射型表示装置１０１に用いられるフレネルレンズシート１１１として、図２６に示すような全反射タイプのフレネルレンズ要素１１２が入光面側に形成されたフレネルレンズシート１１１の使用が提案されている（特許文献１を参照）。このフレネルレンズシート１１１の入射光側には、入射面１１３とその入射面１１３から入射する光１０２の一部または全部を全反射して所望の方向に偏向する全反射面１１４とからなる三角形状のプリズム１１２が形成されている。
【０００３】
こうした全反射フレネルレンズシートは、図３に示すように、フレネルレンズシート形成用の平版状の金型７に成形樹脂を塗布・硬化させた後、その金型７からフレネルレンズシート１を離型することにより製造される。しかしながら、全反射フレネルレンズシート１の製造においては、フレネルレンズ要素２と金型７とが噛み合っているので、フレネルレンズシート１の厚みが厚い場合には、シートの柔軟性が低下して極めて離型し難い状況になるという問題があった。そのため、フレネルレンズシート１の厚さを３ｍｍ以下にして、フレネルレンズシート製造時における金型７からの離型作業の効率化を図っていた。
【０００４】
【特許文献１】
特開昭６１−２０８０４１号公報
【特許文献２】
特開平４−２４９２３５号公報
【特許文献３】
特開平４−２５６９４１号公報
【０００５】
【発明が解決しようとする課題】
ところで、こうした薄型のフレネルレンズシートを有する透過型スクリーン１０３の中心に対して斜めに映像光１０２を入射させる薄型の背面投射型表示装置１０１（図２４を参照）において、例えばフレネルレンズシートにたわみが生じて透過型スクリーン１０３に膨れや浮きが生じる場合には、図２５に示すように、フレネルレンズの位置が光源１０８の方向（すなわち、シートの厚さ方向）に近づいたり遠ざかったりすることになる。そのため、図２５に示すように、特にフレネルレンズシート１１１の中央付近では、表示される映像の高さ方向の位置が変化することになる。一方、フレネルレンズシート１１１の周辺部は枠部材により保持されているので、その周辺部においては、フレネルレンズの位置があまり変化せず、表示される映像の高さ方向の位置はほとんど変化しない。したがって、例えばフレネルレンズシートにたわみが生じた場合、その中心部のフレネルレンズの位置はシートの厚さ方向に変化するが、周辺部のフレネルレンズの位置はあまり変化しないので、透過型スクリーンに表示される映像にゆがみが生じる。例えば、水平な直線を透過型スクリーン上に表示した場合に、水平方向でその直線が曲がって見えることがある。
【０００６】
特に、上述したような金型からの離型作業の効率化を目的とした薄型のフレネルレンズシートを有する背面投射型表示装置においては、たわみが生じやすく、映像にゆがみが生じ易いという問題がある。なお、上記特許文献２、３は、従来の透過型スクリーンの取付構造の一例を示すものであるが、上述した全反射フレネルレンズを備えた薄型フレネルレンズシートに適用されたものではない。
【０００７】
本発明は、上記課題を解決すべくなされたものであって、その目的は、製造時に金型から離型し易い薄型のフレネルレンズシートを、背面投射型表示装置に平面性よく保持することができるフレネルレンズシートの取付構造およびその取付構造を備えた背面投射型表示装置を提供することにある。
【０００８】
【課題を解決するための手段】
上記課題を解決するための本発明のフレネルレンズシートの取付構造は、入射面と当該入射面から入射する光の一部または全部を全反射して所望の方向に偏向する全反射面とからなる三角形状のプリズムが入射光側に配列された厚さ３ｍｍ以下のフレネルレンズシートの取付構造であって、前記フレネルレンズシートの上辺に装着された吊り下げ部材と、当該吊り下げ部材を支持する支持部材とを備えることを特徴とする。
【０００９】
この発明によれば、フレネルレンズシートの上辺に装着された吊り下げ部材と、その吊り下げ部材を支持する支持部材とにより取り付けられた厚さ３ｍｍ以下の薄型のフレネルレンズシートは、たわみが発生しにくく平面性が確保されるので、映し出される映像にゆがみが生じ難い。
【００１０】
本発明のフレネルレンズシートの取付構造において、前記フレネルレンズシートの少なくとも下辺に張力付加部材が装着されていることが好ましい。このとき、（ｉ）前記張力付加部材が、弾性体により下方または横方向に引っ張られることが好ましく、また、（ｉｉ）前記張力付加部材に、前記フレネルレンズシートの出光面側に隣接する剛体シートが載置されていることが好ましい。
【００１１】
この発明によれば、フレネルレンズシートに装着された張力付加部材により、フレネルレンズシートが下方または横方向に張られるので、厚さ３ｍｍ以下の薄型のフレネルレンズシートの平面性を確保することができる。
【００１２】
特に後者（ｉｉ）の場合において、前記フレネルレンズシートの上辺の左右端部における吊り下げ部材の下面と、当該左右端部における吊り下げ部材に接する支持部材の上面との接触面が、当該フレネルレンズシートの中央側の座標位置より端部側の座標位置が正面視で低くなるように傾斜しており、前記フレネルレンズシートの下辺の左右端部における張力付加部材の上面と、当該左右端部における張力付加部材に載置される剛体シートの下面との接触面が、当該フレネルレンズシートの中央側の座標位置より端部側の座標位置が正面視で高くなるように傾斜していることが好ましい。
【００１３】
この発明によれば、フレネルレンズシートの上下方向と左右方向に外向きの力を作用させることができる。
【００１４】
また、前記剛体シートがレンチキュラーレンズシートであることが好ましい。
【００１５】
本発明のフレネルレンズシートの取付構造において、（ａ）前記フレネルレンズシートの出光面に光を拡散するレンチキュラーレンズが形成されていること、（ｂ）前記フレネルレンズシートが光を拡散させる拡散剤を含有していること、（ｃ）フレネルレンズシートが光を吸収するように着色されていること、（ｄ）フレネルレンズシートが光吸収層を有していること、が好ましい。
【００１６】
また、本発明のフレネルレンズシートの取付構造において、フレネルレンズシートの片面または両面に、反射率を低下させる低反射層が形成されていることが好ましい。
【００１７】
本発明の背面投射型表示装置は、上述したフレネルレンズシートの取付構造を備えた透過型スクリーンが取り付けられていることを特徴とする。
【００１８】
【発明の実施の形態】
本発明のフレネルレンズシートの取付構造および背面投射型表示装置について、図面を参照しつつ具体的に説明する。
【００１９】
（薄型のフレネルレンズシート）
先ず、本発明の取付構造に適用される薄型のフレネルレンズシートについて説明する。
【００２０】
図１は、本発明のフレネルレンズシートの取付構造が適用される斜め投射光学系のフレネルレンズシートの一例を示す。このフレネルレンズシート１においては、フレネル中心がシート内に存在しないので、入射光はフレネルレンズシート１のどの位置に対してもある角度（最大で７０°程度以上）をもって入射する。
【００２１】
図２は、図１に示すような大きな入射角に適したフレネルレンズシート１の一例を示す断面図であって、入射面３とその入射面３から入射する光５の一部または全部を全反射して所望の方向に偏向する全反射面４とからなる三角形状のプリズム２が入射光側に配列されたフレネルレンズシート１である。
【００２２】
このフレネルレンズシート１においては、フレネルレンズシート１上の位置により入射光５の入射角が異なるので、プリズム２を構成する各角度ａ，ｂ，ｃは、入射光５の入射角に応じて任意に変化させる必要がある。例えば、プリズム２の先端角ａを一定にして全反射面４の角度ｂ（すなわち屈折面の角度ｃ）を変化させてもよいし、角度ａ，ｂ，ｃを全て変化させてもよい。なお、入射光５のうち、フレネルレンズシート１の略垂直方向に出光する光の割合（すなわち出光効率）のよいフレネルレンズシート１とするためには、プリズム２の先端角ａが４０°程度であることが好ましい。また、プリズム２の幅（フレネルレンズシート１のピッチのこと。）は、画面上でプリズム２が多数連なっていることが観察者に視認されないように、１ｍｍ程度以下であることが望ましく、０．１ｍｍ程度であることがより好ましい。このようなフレネルレンズシート１を備える背面投射表示装置の画面サイズは、通常、４０インチ以上２００インチ以下であり、５０インチ以上７０インチ以下のものが多い。
【００２３】
図３に示すように、フレネルレンズシート１は、フレネルレンズの逆形状を有する金型７を用い、フレネルレンズシート成形用樹脂をプレス成形、射出成形、ＵＶ成形法またはキャスティング成形などにより成形し、その金型７から離型することにより製造されるが、上記のフレネルレンズシート１は、プリズム２の先端角ａが４０°程度（例えば、３６°〜４４°）とかなり鋭角なので、金型７からの離型性が従来から大きな問題となっていた。そこで、金型７からの離型性を良好にして製造効率を向上させるという観点から、フレネルレンズシート１の厚さＴを３ｍｍ以下、具体的には０．２〜３ｍｍのものとすることにより、フレネルレンズの転写形状（逆形状）が形成されている金型７から、薄く柔軟なフレネルレンズシート１を容易に離型することができ、フレネルレンズシート１の製造の効率化が達成される。こうした薄型のフレネルレンズシートは、上述したように、シートに剛性がないのでたわみやすく、そのままでは投射された映像光にゆがみを生じさせるおそれがあった。
【００２４】
本発明者らは、背面投射型表示装置の画面サイズが対角５０インチ以上である場合、フレネルレンズシート１のたわみに基づく映像のゆがみが、フレネルレンズシート１のたわみの程度によっては観察者に視認されないことを見出し、映像のゆがみが許容できる限界が単位長に対して１０００分の３程度であることを見出した。例えば、図４に示すように、フレネルレンズシート１の水平方向の長さＬ（ｍｍ）と同じ長さの直線９を映し出した場合において、その直線９の曲りＰが上下方向で１０００分の３Ｌ（＝３Ｌ／１０００）以下であれば、その曲りＰを観察者が視認するのは極めて困難であることを見出した。
【００２５】
一方、フレネルレンズシート１の中心に入射する入射光の入射角は、通常６０〜６５°であるので、直線のゆがみを１０００分の３Ｌ以下となるように抑制しようとすると、フレネルレンズシート１がその厚さ方向にズレることが許容されるたわみ量Ｗ（図５を参照）は２０００分の３Ｌ以下となる。例えば、対角５０インチのスクリーンであれば、水平方向の長さは１０１６ｍｍなので、たわみ量Ｗを１．５ｍｍ以下に抑える必要がある。しかしながら、５０インチ程度で厚さＴが３ｍｍ程度の樹脂製のフレネルレンズシート１の周辺を枠体で保持して自立させようとした場合、フレネルレンズシートの自重によるたわみ量Ｗが生じ、そのたわみ量Ｗを１．５ｍｍ以下とすることは不可能である。
【００２６】
こうした現状に鑑み、本発明のフレネルレンズシートの取付構造は、全反射面４を有するプリズム２が形成された厚さ３ｍｍ以下の薄型フレネルレンズシート１をたわみがないように保持することによって、シートの平面性を確保し、その結果、投射される映像のゆがみを抑えている。
【００２７】
（フレネルレンズシートの取付構造）
すなわち、本発明のフレネルレンズシート１（以下、単に「シート」ともいう。）の取付構造は、入射面３とその入射面３から入射する光の一部または全部を全反射して所望の方向に偏向する全反射面４とからなる三角形状のプリズム２が入射光側に配列された厚さ３ｍｍ以下のフレネルレンズシート１の取付構造であって、フレネルレンズシート１の上辺１１に装着された吊り下げ部材１２と、その吊り下げ部材１２を支持する支持部材１３とを備えることに特徴がある。
【００２８】
図６は、本発明に係る取付構造の一例であり、（ａ）は斜視図であり、（ｂ）は垂直断面図である。この取付構造は、シート１の上辺１１にシート幅と同一長さまたは略同一長さのコマを吊り下げ部材１２として接着し、Ｌ字金具を支持部材１３とし、そのＬ字金具の底面にコマの下面が当接するようにコマを乗せてシートを吊り下げている。
【００２９】
なお、シート１の上辺に接着されたコマの形状は、図６（ｂ）の垂直断面図に示すような四角形であることが望ましいが、支持部材１３であるＬ字金具の底面に載せることができる形状であれば特に形状には限定されない。また、コマの左右方向の長さもシート幅と同一長さまたは略同一長さでなくてもよく、短尺のコマを一定間隔ごとに接着したものであってもよい。なお、その場合においては、後述するように、各コマ間にバネ等の弾性体を設けることにより、左右方向に張力を付与する構造とすることが望ましい。また、図６および後述の図７等に示す支持部材１３であるＬ字金具についても、その形状は特に限定されず、吊り下げ部材１２の下面を支持することができるように、Ｌ字金具の底面のような受け部を備えるものであればよい。
【００３０】
図７は、図６に示す取付構造において、シート１の下辺１４および左右辺１５の周辺部を枠体１６で保持する態様を示したものである。図７において、（ａ）は上辺１１付近の垂直断面図であり、（ｂ）は下辺１４付近の垂直断面図であり、（ｃ）は左右辺１５付近の水平断面図である。この取付構造の下辺１４および左右辺１５においては、各辺を保持するために所定の深さＤで形成された枠体１６との間に隙間が生じるように装着される。こうした態様で装着されることにより、下辺１４および左右辺１５でのシート１の寸法上の自由度を確保することができると共に、温湿度変化でのシートの伸縮を許容することができる。
【００３１】
図８は、フレネルレンズシートの観察者側にレンチキュラーレンズシートを隣接させた形態の一例を示す垂直断面図である。一般的な透過型スクリーンは、フレネルレンズとレンチキュラーレンズとを備えているが、それらの各レンズを別々のシートに形成して両者を隣接して配置して透過型スクリーンを構成する場合には、図８に示すように、入光面に全反射タイプのプリズム２を備えるフレネルレンズシート１の観察者側の面６に、レンチキュラーレンズシート１７が配置される。このとき、薄いフレネルレンズシート１は、隣接するレンチキュラーレンズシート１７の平面性に大きく影響される。そのため、レンチキュラーレンズシート１７が十分に厚く（例えば、５〜１０ｍｍ程度）、下辺側の枠体１６に自立させてもそのたわみ量が許容値以下である場合には、図８に示すように、フレネルレンズシート１を上から吊り下げ、レンチキュラーレンズシート１７を下辺側の枠体１６に置くようにすればよい。なお、レンチキュラーレンズシート１７を下辺側の枠体１６に自立させたときの許容値以下のたわみ量とは、レンチキュラーレンズシート１７のたわみ量によってフレネルレンズシート１のたわみ量Ｗがその厚さ方向にズレることが許容される量であり、具体的にはレンチキュラーレンズシート１７のたわみ量がそのまま反映され、そのたわみ量の許容値は２０００分の３Ｌ以下であることが望ましい。
【００３２】
図９は、フレネルレンズシートとレンチキュラーレンズシートを支持部材から吊り下げた態様の一例を示す垂直断面図である。これは、レンチキュラーレンズシート１７が薄く、自立させるとたわみ量が許容量を超えてしまう場合に好ましく適用される態様であり、図９に示すように、フレネルレンズシート１に装着された吊り下げ部材１２と、レンチキュラーレンズシート１７に装着された吊り下げ部材１８との両方が、保持部材１３に保持される。
【００３３】
具体的には、図９（ａ）においては、フレネルレンズシート１の上辺１１に接着された吊り下げ部材１２が支持部材１３であるＬ字金具の底面上に載り、さらにその吊り下げ部材１２の上面にレンチキュラーレンズシート１７の上辺に接着された吊り下げ部材１８の下面が当接するように載る。その結果、支持部材１３であるＬ字金具の底面が、フレネルレンズシート１とレンチキュラーレンズシート１７のそれぞれに接着した吊り下げ部材１２，１８を支持することにより、両シート１，１７を吊り下げるように作用する。一方、図９（ｂ）は他の態様を示すものであり、フレネルレンズシート１に接着した吊り下げ部材１２が光源側から回り込んだＬ字金具の底面に支持され、レンチキュラーレンズシート１７に接着した吊り下げ部材１２，１８が観察者側から回り込んだＬ字金具の底面に支持された態様を示している。これらの場合においても、各シートに接着されたコマの形状等については、上述したような各種の形態のものを適用することができ、特に限定されない。
【００３４】
これらの場合において、各シートの下辺および左右辺においては、各辺を保持するために所定の深さＤで形成された枠体１６との間に隙間１９が生じるように装着されていればよい。こうした態様で装着されることにより、下辺および左右辺での各シートの寸法上の自由度を確保することができる。
【００３５】
図１０は、フレネルレンズシート１の下辺に張力付加部材２１を装着した態様の一例を示す斜視図である。この態様においては、張力付加部材２１が、弾性体２２により下方に引っ張られるように構成されている。なお、弾性体２２の一端は、弾性体取付部材２３に固定される。弾性体取付部材２３は、好ましくは背面投射型表示装置に固定され、弾性体２２を介して張力付加部材２１を下方に押し下げるように作用することが好ましいが、背面投射型表示装置に固定されず、自重により張力付加部材２２を下方に押し下げるように作用してもよい。いずれの場合においても、弾性体取付部材２３と弾性体２２とによる張り張力により、フレネルレンズシート１の下辺１４が下方に引っ張られる。こうした取付構造により、全反射面を有する厚さ３ｍｍ以下の薄型フレネルレンズシート１は上下方向に張られ、極めて平面性のよい状態で透過型スクリーンを構成することになる。その結果、スクリーンにたわみが生じにくいので、スクリーンに投影される映像にゆがみが生じない。弾性体２２としては、各種のものを例示することができるが、図１０に示すようなバネであっても、板バネ、定圧バネ等であってもよい。
【００３６】
図１１（ａ）と図１１（ｂ）は、張力付加部材２１と弾性体取付部材２３との連結方法の例を示したものである。この態様においては、弾性体取付部材２３は、背面投射型表示装置に固定される。例えば、図１１（ａ）に示すように、張力付加部材２１側にバネ（弾性体２２）を備えたボルト（連結部材２７）が装着され、そのボルトと弾性体取付部材２３に固定されたナット２８とが締結することにより固定される。また、図１１（ｂ）に示すように、弾性体取付部材２３側にバネ（弾性体２２）を備えたボルト（連結部材２７）が装着され、そのボルトと張力付加部材２１に固定されたナット２８とが締結することにより固定される。
【００３７】
図１２は、弾性体を用いない態様の例を示している。図１２（ａ）は、張力付加部材２１に荷重２９を吊り下げた例であり、図１２（ｂ）は、張力付加部材２１の上面に荷重２９を搭載した例である。いずれの場合においても、フレネルレンズシート１の下辺１４に装着された張力付加部材２１により、薄型フレネルレンズシート１の上下方向に張力を付与することができる。
【００３８】
図１３は、フレネルレンズシートの上下方向に加え、左右方向にも張力を付加した態様を示している。高精細画像表示用のディスプレイや図面表示用のディスプレイ等のようにフレネルレンズシートに高い平面性が要求されている場合には、フレネルレンズシートの左右方向にも張力を与えることが好ましく、その結果、フレネルレンズシートの平面性をより向上させることができる。
【００３９】
具体例としては、図１３に示すように、左右のいずれか一方の辺に、上述した吊り下げ部材と同様の形態からなるコマ３１を接着し、そのコマ３１をＬ字金具３２（保持部材）で保持して固定端とする。そして、もう一方の辺には張力付加部材３３を接着し、その張力付加部材３３に弾性体３４を装着し、背面投射型表示装置の枠体に固定された弾性体取付部材３５で張力付加部材３３を引っ張る。こうしてフレネルレンズシート１の左右方向にも張力を付加することができる。特に、金型からの離型性に優れる厚さ１ｍｍ以下の薄いフレネルレンズシート１の場合には、フレネルレンズシート１の剛性が小さくなるので、上下方向のみならず、左右方向にも張力を与えることが望ましい。その結果、フレネルレンズシートの平面性を確保することができ、映像のゆがみを生じさせない。
【００４０】
図１４は、フレネルレンズシートの上下方向および左右方向に張力を付加する他の態様である。フレネルレンズシート１の上辺１１には、短いコマ３６が任意の間隔で接着されている。そのコマ間には弾性体３７が設けられており、その弾性体３７は、コマ３６とコマ３６とを押し広げるように作用する。そうしたコマ３６と弾性体３７は、フレネルレンズシート１の下辺１４にも設けられている。こうした取付構造からなるフレネルレンズシート１は、左右の両端にコマを接着したり、ばねを取り付けたりする必要がないので、左右端の枠体の構造を簡単にでき、左右の枠体の幅を狭くすることができるという利点がある。
【００４１】
図１５は、フレネルレンズシート１の下辺１４にコマ３８を接着し、そのコマ３８上にレンチキュラーレンズシート１７を載せた態様である。レンチキュラーレンズシート１７を自立させてもたわみ量が許容値以下である場合には、このような態様とすることによって、レンチキュラーレンズシート１７の自重により、フレネルレンズシート１の上下方向に張力を付与することができる。
【００４２】
なお、上述したコマ３８は、フレネルレンズシート１に接着により装着してもよいし、その他の方法、例えばビス等の機械的な方法で装着してもよい。
【００４３】
次に、フレネルレンズシートの取付構造の更に他の態様について説明する。
【００４４】
図１６は、フレネルレンズシート１の上下方向および左右方向に張力を付加することができる取付構造の形態の一例である。この取付構造は、フレネルレンズシート１に張力付加部材としての剛性シート３９が装着されている取付構造であって、フレネルレンズシート１の下辺１４が、フレネルレンズシート１の出光面側に隣接する剛体シート３９により下方に押し下げられている。
【００４５】
すなわち、図１６（ａ）（ｂ）に示すように、フレネルレンズシート１の上辺１１の左右端部４１における吊り下げ部材１２の下面４２と、その左右端部４１における吊り下げ部材１２を支持する支持部材４３の上面４４との接触面４５が、フレネルレンズシート１の中央側の座標位置Ａより端部側の座標位置Ｂが正面視で低くなるように傾斜しており、フレネルレンズシート１の下辺１４の左右端部４１における張力付加部材２１の上面と、その左右端部４１における張力付加部材２１に載置される剛体シート３９の下面との接触面４６が、フレネルレンズシート１の中央側の座標位置Ｃより端部側の座標位置Ｄが正面視で高くなるように傾斜していることが好ましい。この取付構造によれば、フレネルレンズシート１の上下方向と左右方向に外向きの力が働くので、フレネルレンズシート１のたわみや変形を防止することができ、映し出される映像にゆがみが生じ難い。
【００４６】
図１７は、このような傾きを設けた効果の説明図である。図１７（ａ）に示すように、フレネルレンズシート１の左右方向には外力が加わらず、フレネルレンズシート１の上下方向にはフレネルレンズシート１の自重と、フレネルレンズシート１の下辺の張力付加部材２１の上に載せられた剛体シートの重量がかかる。このとき、上辺の吊り下げ部材１２の下面と接する面４７は、フレネルレンズシート１の中央側の座標位置Ａより端部側の座標位置Ｂが正面視で低くなるように傾斜している。
【００４７】
ここで、上下方向に働くフレネルレンズシート１の自重とフレネルレンズシート１の下辺の張力付加部材の上に載せられた剛体シートの重量による力をＷとすると、この力Ｗは、吊り下げ部材の下面と接する面４７の垂直方向に働く力Ｗ１（＝Ｗ×ＣＯＳθ）と、この面４７を滑ろうとする力Ｗ２（＝Ｗ×ＳＩＮθ）として作用する。そのため、この面４７の静摩擦係数をαとすると、Ｗ２＞α×Ｗ１の条件を満たすとき、吊り下げ部材１２が接触面４７を滑り左下方向へ移動する。
【００４８】
図１７（ｂ）は、移動前後の関係を示したものである。フレネルレンズシート１と吊り下げ部材１２が左下側へ移動し、それぞれ、１’，１２’の位置に移動する。この左上の吊り下げ部材１２の移動と同様なことが右上の吊り下げ部材でも発生する。そのため、フレネルレンズシート１は、外側に引っ張られた状態になり、フレネルレンズシート１の材料内部に反力として内側に向かう力が発生する。なお、この伸縮によって発生した力をＳとする。
【００４９】
一方、フレネルレンズシート１は上下方向に伸縮自在に保持されているので、剛体シートはフレネルレンズシート１の下辺の張力付加部材の移動と伴に下方へ移動し、上下方向に働く力は、初期状態である図１７（ａ）の状態と同様になる。そのため、左上の移動後の吊り下げ部材１２’には、上下方向にＷ、左右方向にＳが働き、トータルとしてＦの力が作用する。ここで、この力Ｆは、上記考察と同様に、吊り下げ部材１２’の下面と接する接触面４７の垂直方向に働く力Ｆ１（＝Ｆ×ＣＯＳγ）と、この接触面４７を滑ろうとする力Ｆ２（＝Ｆ×ＳＩＮγ）として作用する。この接触面４７の静摩擦係数をαとすると、Ｆ２＞α×Ｆ１の条件を満たせなくなった時、吊り下げ部材１２の下面が接触面４７を滑り左下方向へ移動できなくなり、移動は停止する。ここで、γは力Ｆと吊り下げ部材１２’の下面と接する接触面４７の垂線とのなす角である。
【００５０】
吊り下げ部材１２の移動が終わった力学的に安定な状態では、フレネルレンズシート１および剛体シートの自重によって上下方向に働く力Ｗとフレネルレンズシート１の伸縮によって左右方向に働く力Ｓが、吊り下げ部材１２の下面と接触する接触面４７の角度θ、接触面４７の静摩擦係数に応じてバランス良く保たれる。そのため、フレネルレンズシート１には、常に上下方向と左右方向に外向きの力が働き、フレネルレンズシート１に生じるたわみを防止することができる。
【００５１】
また、フレネルレンズシート１の温度が低下した場合のように、フレネルレンズシート１に収縮する方向の力が働く場合、吊り下げ部材１２が右上方向へ移動するよう、左右方向に働く材料内部の力Ｓが増大する。ここで、フレネルレンズシート１および剛体シートの自重によって上下方向に働く力Ｗとフレネルレンズシート１の伸縮によって左右方向に働く力Ｓの合成力Ｆと吊り下げ部材１２の下面と接する面４７の垂線とのなす角γが逆方向になり、Ｆ２は、右上方向に働くようになる。吊り下げ部材１２の下面と接する接触面４７の垂直方向に働く力Ｆ１（＝Ｆ×ＣＯＳγ）と、この接触面４７を滑ろうとする力Ｆ２（＝Ｆ×ＳＩＮγ）として作用する。この面４７の静摩擦係数をαとすると、Ｆ２＞α×Ｆｌの条件を満たす時、吊り下げ部材１２の下面が接触面４７を滑り右上方向へ移動する。
【００５２】
フレネルレンズシート１に働く上下方向と左右方向の外向きの力を安定させ、シート間のたわみの発生を防止し、さらにまた、フレネルレンズシート１の伸縮等に伴う吊り下げ部材１２の移動をスムーズにするため、フレネルレンズシート１の上辺の吊り下げ部材１２の下面と接する面４７を滑りやすくするため、静摩擦係数を小さくすることが好ましい。同様に、フレネルレンズシート１の下辺の張力付加部材の上面と剛体シートの下面とが接する面も滑りやすくすることが好ましい。その結果、より確実にフレネルレンズシート１のたわみの発生を防止することができるようになり、合わせて、フレネルレンズシート１が収縮できずに材料強度以上の左右方向の外力を受け破損する事故を防止することができるようになる。このときの静摩擦係数は小さい方が望ましく、０．７以下が好ましく、より好ましくは０．５以下である。この滑りやすくする加工方法としては、接触面にテフロン（登録商標）テープを貼る方法がある。この場合、静摩擦係数は、０．５程度になる。さらに、ローラーを用いれば、０．３以下にすることも可能になる。
【００５３】
また、フレネルレンズシート１の上辺の吊り下げ部材１２の下面と接する接触面４７の位置は、中央側の座標位置が外側の座標位置より正面視で高くなるように傾斜している。この傾斜θ１は、吊り下げ部材が動き出すＷ２＞α１×Ｗ１の条件、つまり、α１＜ｔａｎθ１を満たし、３０〜６０°程度が好ましい。フレネルレンズシート１の下辺の張力付加部材２１の上面と剛体シートの下面と接する接触面の位置は、中央側の座標位置が外側の座標位置より正面視で低くなるように傾斜している。この傾斜θ２も同様に、α２＜ｔａｎθ２を満たし、３０〜６０°程度が好ましい。
【００５４】
このときの剛体シート３９としては、厚さが５〜１０ｍｍ程度のレンチキュラーレンズシートを好ましく挙げることができる。
【００５５】
以上のように、本発明のフレネルレンズシートの取付構造において、フレネルレンズシート１やレンチキュラーレンズシート等の光学要素は、キャスト成型法、プレス成型法、押し出し成型法、ベースシートやベースフィルムを利用したＵＶ成型法に代表される光硬化法等によって作製できる。また、吊り下げ部材や張力付加部材等の構成材料としては、フレネルレンズシート等の光学要素と同種の材質であるアクリル、スチレン、ポリカーボネート、ＰＥＴ等の合成樹脂製のものが、温湿度変化等の環境変化に対する性質が同様になり好ましいが、これに限定されるものではなく、金属製のものも使用できる。
【００５６】
フレネルレンズシート１に装着される吊り下げ部材や張力付加部材等は、フレネルレンズシート１に接着して一体化することができるが、ビス止め等機械的な固定方法でも良い。また、下面と保持用アングルの材質も合成樹脂製や金属製等、特に限定されるものではない。
【００５７】
（フレネルレンズシートの構成）
フレネルレンズシートを形成する透明樹脂としては、吸湿時の伸び率の小さいスチレン樹脂、アクリル−スチレン共重合体樹脂、ポリカーボネート樹脂が好ましく用いられる。フレネルレンズシートは、フレネルレンズの逆形状を有する金型を用い、上記樹脂をプレス成形、射出成形、ＵＶ樹脂成形またはキャスティング成形などにより成形して製造される。上述した透明樹脂としては、混ぜものがなく均一なものを用いることができるが、特に本発明に適用される全反射タイプのフレネルレンズシートにおいては、迷光が生じやすいので、迷光をなくすための各種の手段を適用することが好ましい。
【００５８】
迷光１０とは、図１８に示すように、入射面３から入射した映像光５のうち全反射面４に入射しない光のことである。この迷光１０は、フレネルレンズシートに対する映像光５の入射角度θが小さいときに発生するので、フレネルレンズシートの下端付近で発生し易い。フレネルレンズシートに入射した迷光１０は、出光面６で反射し、再びフレネルレンズ要素部分に入光して屈折を繰り返した後に再度出光する。このとき出光する光１０は、全反射面４で反射して出光する正規の映像光２０とは、出光する位置が異なる。こうした出光位置の相違が、二重像の原因となる。
【００５９】
迷光による二重像の発生を抑制する手段として、以下の手段が挙げられる。
【００６０】
第１は、フレネルレンズシート内に拡散剤を含有させる手段が挙げられる。図１９は、本発明のフレネルレンズシートが光を拡散させる拡散剤５１を含有している一例を示す断面構成図である。拡散剤５１としては、フレネルレンズシートを構成する樹脂の種類に応じ、その屈折率差を考慮して選定されるが、例えば、スチレン樹脂微粒子、シリコーン樹脂微粒子、アクリル樹脂微粒子、ＭＳ樹脂微粒子等の有機系微粒子や、硫酸バリウム微粒子、ガラス微粒子、水酸化アルミニウム微粒子、炭酸カルシウム微粒子、シリカ（二酸化珪素）微粒子、酸化チタン微粒子等の無機系微粒子を挙げることができ、これらの１又は２種以上が樹脂中に配合される。粒子形状については、真球形状、略球形状、不定形状等、各種のものを使用できる。このフレネルレンズシートにおいて、光路長の長い迷光１０はフレネルレンズシート内で屈折を繰り返して進むが、シート中に含まれる拡散剤５１により拡散されるので、二重像が目立たなくなる。
【００６１】
第２は、フレネルレンズシートを着色して光を吸収させる手段が挙げられる。着色剤としては、黒色の染料、顔料、カーボンブラック等が挙げられ、着色方法としては、これらの着色剤と樹脂を混ぜてキャスティング成形したり、押し出し成形したりする方法等を挙げることができる。このフレネルレンズシートにおいて、光路長の長い迷光１０は、設計通りに出光する光路長の短い映像光２０に比べ、着色されたフレネルレンズシート内で大幅に吸収されるので、二重像が目立たなくなる。
【００６２】
第３は、フレネルレンズシートに光吸収層を形成する手段が挙げられる。図２０は、本発明のフレネルレンズシートが光吸収層５２を有している一例を示す断面図である。この光吸収層５２は、フレネルレンズシートの出光面側の表面から内部に向かって形成された溝形態を呈するものであり、出光面側から平面視したとき、例えば厚さ約１０μｍで深さ約１００μｍの細い溝が光の進行方向に対して平行かつ等間隔で配列され、その細い溝にワイピング法により黒色インクを埋め込むことにより形成される。このフレネルレンズシートにおいて、光路長の長い迷光１０は、光吸収層５２で吸収されるので、二重像が目立たなくなる。
【００６３】
第４は、フレネルレンズシートの出光面に光を拡散させるレンチキュラーレンズ要素を形成する手段が挙げられる。図２１は、円弧状の垂直レンチキュラーレンズ５３をフレネルレンズシート１の出光面に形成した例であり、図２２は、台形状の垂直レンチキュラーレンズ５４を出光面に形成した例である。円弧状の垂直レンチキュラーレンズ５３は光を水平方向に拡散させるので、迷光も拡散され、二重像が目立たなくなる。また、台形状の垂直レンチキュラーレンズ５４は、迷光を台形の斜面５５で全反射させるので、迷光を目立たなくすることができる。なお、垂直レンチキュラーレンズではなく、水平レンチキュラーレンズを形成してもよい。
【００６４】
本発明のフレネルレンズシートにおいては、こうした各手段を適用することにより、発生する迷光の影響を極力抑制することができる。
【００６５】
本発明のフレネルレンズシートの何れか一方の表面、すなわち片面または両面に、反射率を低下させる低反射層を形成してもよい。低反射層は、低屈折率の材質で形成されることが好ましく、例えばフッ素系樹脂やシリコーン系樹脂が好ましく用いられる。低反射層は、通常コーティング法で形成され、例えば、ディッピング法、フローコート法などが適用される。低反射層は、フレネルレンズシートの出光面側に好ましく設けられるが、両面に設けるとより効果的である。このフレネルレンズシートにおいて、低反射層は反射防止効果を発揮するので、表面の反射光による画像のコントラストの低下が抑制される。
【００６６】
なお、レンチキュラーレンズ要素を備えたフレネルレンズシートや、フレネルレンズシートとレンチキュラーレンズシートとが組み合わされた２枚構成の複合型の透過型スクリーンに対しても、上記と同様の低反射層を形成することができる。
【００６７】
（背面投射型表示装置）
透過型スクリーンは、本発明に係るフレネルレンズシート自体で透過型スクリーンを構成するもの、本発明のフレネルレンズシート１とレンチキュラーレンズシートとを有するもの（例えば図２３を参照）、さらにそれらに前面シート等を加えたもの、等々を挙げることができる。また、本発明の背面投射型表示装置は、上述した本発明のフレネルレンズシートまたは透過型スクリーンを備えるものである。
【００６８】
本発明の特徴を満たし、本発明の所期の目的を達成することができる限りにおいて、本発明のフレネルレンズシートには、従来公知の他の構成を付加してもよい。
【００６９】
【実施例】
以下に実施例を挙げて本発明を具体的に説明する。
【００７０】
（実施例１）
映像光が後方より斜めに投射される背面投射表示装置として、画面サイズ５０インチ（アスペクト比４：３、縦７６２ｍｍ×横１０６２ｍｍ）、フレネルレンズシートからプロジェクター（光源）までの水平距離３２０ｍｍ、画面下端からプロジェクターを含む水平面までの垂直距離２２０ｍｍ、画面中心での映像光の入射角６２°となるように構成した。
【００７１】
フレネルレンズシートはアクリルスチレン共重合体で形成し、厚さを２ｍｍ、レンズピッチを０．１１ｍｍとなるように形成した。このフレネルレンズシートの観察者側に、厚さ１ｍｍでピッチ０．１４ｍｍの垂直レンチキュラーレンズを有し、光拡散剤を含みかつ垂直レンチキュラーレンズの表面に沿った部分にだけ光吸収層を有するレンチキュラーレンズシート（ゲイン４、αＨ２５°、αＶ８°）を配置して構成した。フレネルレンズシートとレンチキュラーレンズシートの上辺に、コマ（フレネルレンズシート用のコマについては、厚み５ｍｍで高さ１５ｍｍ、レンチキュラーレンズシート用のコマについては、厚み７ｍｍで高さ１５ｍｍ）を接着し、図９のように吊り下げた。コマの材質はアクリルスチレン共重合体とし、レンチキュラーレンズの材質もアクリルスチレン共重合体とした。このようにして構成された背面投射型表示装置は、環境が変化しても映像が変化せず、良好な映像が得られた。
【００７２】
なお、この実施例において、ゲインとは、スクリーンの後方から光線を入射し、前方に出てくる光の輝度の角度分布を測定し、スクリーンにおける照度と各々の輝度とから、ゲインＧ＝π×輝度（ｃｄ／ｍ２）／照度（ｌｘ）の関係式により求めたものである。なお、ピークゲインとは、スクリーンの中で最大のゲイン値のことであり、本願においては、スクリーンの中心をスクリーンの正面から観察したときのゲインの最大値を示す。また、αＨは水平方向のピークゲインの半値角のことであり、αＶは垂直方向のピークゲインの半値角を表すものである。
【００７３】
（実施例２）
映像光が後方より斜めに投射される背面投射表示装置として、画面サイズ６０インチ（アスペクト比４：３、縦９１４ｍｍ×横１２１９ｍｍ）、フレネルレンズシートからプロジェクター（光源）までの水平距離３５０ｍｍ、画面下端部からプロジェクターを含む水平面までの垂直距離２９３ｍｍ、画面中心での映像光の入射角６５°となるように構成した。
【００７４】
フレネルレンズシートは厚さ０．２ｍｍのポリエチレンテレフタレートのフィルムの上にＵＶ樹脂で成形し、厚さ０．３ｍｍのフレネルレンズシートとした。
【００７５】
この出光面側に、厚さ５ｍｍでピッチ０．１４ｍｍの垂直レンチキュラーレンズを有し、光拡散剤を含み、かつ垂直レンチキュラーレンズに沿った部分にだけ光吸収層を有するレンチキュラーレンズシート（ゲイン４、αＨ２５°、αＶ８°）を配置して透過型スクリーンを構成した。
【００７６】
フレネルレンズシートにコマ（厚み１０ｍｍ、高さ２０ｍｍ）を接着し、図１３のようにして張力をかけて保持した。ばねは、径が８ｍｍ、長さ２０ｍｍ、ばね定数が０．５ｋｇ／ｍｍであり、１本のばねを３ｍｍづつのばし、１本につき１．５ｋｇの張力を付加できるように、左右端および上下端にそれぞれ５本づつばねを取り付け、それぞれ７．５ｋｇの張力をかけた。コマの材質はポリカーネートであり、垂直レンチキュラーレンズシートの材質はアクリルスチレン共重合体であり、フレネルレンズシートの出光面側に下荷重で積載した。
【００７７】
（実施例３）
実施例１と同じ光学系とし、フレネルレンズシートとしては、０．５ｍｍ厚のポリカーボネートシートにＵＶ樹脂で成形し、厚さ０．６ｍｍのフレネルレンズシートとした。この出光面側に、厚さ５ｍｍでピッチ０．１４ｍｍの垂直レンチキュラーレンズを有し、光拡散剤を含み、かつ垂直レンチキュラーレンズに沿った部分にだけ光吸収層を有するレンチキュラーレンズシート（ゲイン４、αＨ２５°、αＶ８°）配置して透過型スクリーンを構成した。
【００７８】
フレネルレンズシートの上下端に、図１４に示すように、それぞれ６個のコマ（厚み１５ｍｍ、高さ１５ｍｍ）を隙間が２０ｍｍになるようにして接着した。その間に径が１０ｍｍ、長さが２５ｍｍの圧縮ばねを２２ｍｍに圧縮して挿入した。このばねのばね定数は０．４ｋｇ／ｍｍなので、１本のばねで１．２ｋｇ、５本のばねで６ｋｇの張力をフレネルレンズシートにかけた。フレネルレンズシートは上から吊して、フレネルレンズシートの出光面の下端にコマ（厚み５ｍｍ、高さ１５ｍｍ）を接着してその上にレンチキュラーレンズシートを載せて保持した。コマの材質はポリカーボネート、垂直レンチキュラーレンズシートはアクリルスチレン共重合体とした。
【００７９】
（実施例４）
実施例１の光学系とし、厚さ０．５ｍｍのフレネルレンズシートと、厚さ７ｍｍのレンチキュラーレンズシートとで透過型スクリーンを構成した。
【００８０】
剛体シートの下辺の２コーナーを４５°の傾斜を持つように切断した。フレネルレンズシート１の４コーナーにコの字型の吊り下げ部材を付けた。この吊り下げ部材の下面と支持部材の上面との接触面の傾きを４５°とした。この接触面の静摩擦係数は０．７であった。
【００８１】
【発明の効果】
以上説明したように、本発明のフレネルレンズシートの取付構造によれば、厚さ３ｍｍ以下の薄型のフレネルレンズシートを取り付けた場合であっても、たわみの発生を抑制して平面性を確保することができる。その結果、映し出される映像にゆがみが生じ難い。この取付構造に適用される薄型のフレネルレンズシートは、フレネルレンズの転写形状が形成されている金型から容易に離型することができるので、上記効果に加えて、効率的に製造できる薄型のフレネルレンズシートの取付構造である点に特徴がある。
【図面の簡単な説明】
【図１】本発明のフレネルレンズシートの取付構造が適用される斜め投射光学系のフレネルレンズシートの一例である。
【図２】図１に示すような大きな入射角に適したフレネルレンズシートの一例である。
【図３】フレネルレンズ形成シートを金型から剥離する工程の説明図である。
【図４】水平な直線をスクリーン上に映し出したときに生じる曲がりを説明する概略図である。
【図５】フレネルレンズシートのたわみについて説明する概略図である。
【図６】本発明に係る取付構造の一例である。
【図７】図６に示す取付構造において、シートの下辺および左右辺の周辺部を枠体で保持する態様を示したものである。
【図８】フレネルレンズシートの観察者側にレンチキュラーレンズシートを隣接させた形態の一例を示す垂直断面図である。
【図９】フレネルレンズシートとレンチキュラーレンズシートを支持部材から吊り下げた態様の一例を示す垂直断面図である。
【図１０】フレネルレンズシートの下辺に張力付加部材を装着した態様の一例を示す斜視図である。
【図１１】フレネルレンズシートの下辺に接着される張力付加部材１０１およびその装着態様の各種の例である。
【図１２】弾性体を用いない取付構造の態様の例である。
【図１３】フレネルレンズシートの上下方向に加え、左右方向にも張力を付加した態様を示している。
【図１４】フレネルレンズシートの左右方向に張力を付加した態様である。
【図１５】フレネルレンズシートの下辺にコマを接着し、そのコマ上にレンチキュラーレンズシートを載せた態様である。
【図１６】フレネルレンズシートの上下方向および左右方向に張力を付加することができる取付構造の形態の一例である。
【図１７】図１６に示す傾きを設けた効果の説明図である。
【図１８】フレネルレンズシートにおける迷光を説明する光線追跡図である。
【図１９】フレネルレンズシートが光を拡散させる拡散剤を含有している一例を示す断面構成図である。
【図２０】フレネルレンズシートが光吸収層を有している一例を示す断面図である。
【図２１】円弧状の垂直レンチキュラーレンズをフレネルレンズシートの出光面に形成した例である。
【図２２】台形状の垂直レンチキュラーレンズを出光面に形成した例である。
【図２３】本発明の透過型スクリーンの一例を示す構成図である。
【図２４】薄型の背面投射型表示装置の構成を示す概略図である。
【図２５】薄型の背面投射型表示装置において、フレネルレンズの位置が変化することによる映像の位置の変化を説明する概略図である。
【図２６】全反射フレネルレンズの形態の一例を示す断面図である。
【符号の説明】
Ｌ  フレネルレンズシートの水平方向の長さ（ｍｍ）
Ｔ  フレネルレンズシートの厚さ（ｍｍ）
θ  入射角度
Ｐ  曲がり
Ｑ  ズレの許容長さ
Ｗ  たわみ量
ａ、ｂ、ｃ  フレネルレンズの構成角度
１  フレネルレンズシート
２  プリズム
３  入射面
４  全反射面
５  入射光（映像光）
６  出光面
７  金型
８  光源
９  直線
１０  迷光
１１  上辺
１２、１８  吊り下げ部材
１３、４３  支持部材
１４  下辺
１５  左右辺
１６  枠体
１７  レンチキュラーレンズシート
１９  隙間
２０  透過した映像光
２１、３３  張力付加部材
２２、３４、３７  弾性体
２３、３５  弾性体取付部材
２４、３１、３６、３８  コマ
２５、２６  挟持部材
２７  締結部材（ボルト）
２８  ナット
２９  荷重
３２  Ｌ字金具（保持部材）
３９  剛体シート
４１  左右端部
４２  下面
４４  上面
４５、４６、４７  接触面
【図１】
2004286997.tif 000003
【図２】
2004286997.tif 000004
【図３】
2004286997.tif 000005
【図４】
2004286997.tif 000006
【図５】
2004286997.tif 000007
【図６】
2004286997.tif 000008
【図７】
2004286997.tif 000009
【図８】
2004286997.tif 000010
【図９】
2004286997.tif 000011
【図１０】
2004286997.tif 000012
【図１１】
2004286997.tif 000013
【図１２】
2004286997.tif 000014
【図１３】
2004286997.tif 000015
【図１４】
2004286997.tif 000016
【図１５】
2004286997.tif 000017
【図１６】
2004286997.tif 000018
【図１７】
2004286997.tif 000019
【図１８】
2004286997.tif 000020
【図１９】
2004286997.tif 000021
【図２０】
2004286997.tif 000022
【図２１】
2004286997.tif 000023
【図２２】
2004286997.tif 000024
【図２３】
2004286997.tif 000025
【図２４】
2004286997.tif 000026
【図２５】
2004286997.tif 000027
【図２６】
2004286997.tif 000028